(57)【特許請求の範囲】
【請求項１】
空気中に含まれる汚染物質を除去できる触媒繊維シート材の片面に波板状の波板シート材を配設した状態で渦巻状に巻回された形状であり、且つ、径方向に交互に積層された前記触媒繊維シート材と前記波板シート材との間に軸心方向に沿って空気の通流路を有する構造の空気浄化ユニットを備え、空気の通流する筒状のダクトの内部に配置され、
前記波板シート材は、アルミニウムから構成される空気浄化装置。
【請求項２】
空気中に含まれる汚染物質を除去できる触媒繊維シート材の片面に波板状の波板シート材を配設した状態で渦巻状に巻回された形状であり、且つ、径方向に交互に積層された前記触媒繊維シート材と前記波板シート材との間に軸心方向に沿って空気の通流路を有する構造の空気浄化ユニットを備え、空気の通流する筒状のダクトの内部に配置され、
前記空気浄化ユニットの空気流入面及び空気流出面のうち、少なくとも前記空気流出面には軸心方向に沿って空気が通流するように構成された平板状部材が配設されている空気浄化装置。
【請求項３】
空気中に含まれる汚染物質を除去できる触媒繊維シート材の片面に波板状の波板シート材を配設した状態で渦巻状に巻回された形状であり、且つ、径方向に交互に積層された前記触媒繊維シート材と前記波板シート材との間に軸心方向に沿って空気の通流路を有する構造の空気浄化ユニットを備え、空気の通流する筒状のダクトの内部に配置され、
複数の前記空気浄化ユニットを、軸心方向に沿って空気が通流するように構成された平板状部材を介して、前記空気浄化ユニットの軸心方向に積層してある空気浄化装置。
【請求項４】
前記触媒繊維シート材は、フェルト状の活性炭素繊維から構成されることを特徴とする請求項１から３のいずれか一項に記載の空気浄化装置。
【請求項５】
前記活性炭素繊維は、ピッチ系又はＰＡＮ系の炭素繊維から構成されることを特徴とする請求項４に記載の空気浄化装置。
【請求項６】
前記波板シート材は、波高が３〜１０ｍｍの範囲であることを特徴とする請求項１から５のいずれか一項に記載の空気浄化装置。
【請求項７】
前記波板シート材は、アルミニウムから構成されることを特徴とする請求項２又は３に記載の空気浄化装置。
【請求項８】
前記触媒繊維シート材が、前記空気浄化ユニットの外周面に位置することを特徴とする請求項１から７のいずれか一項に記載の空気浄化装置。
【請求項９】
少なくとも前記空気浄化ユニットの空気流出面に配設されている前記平板状部材は外周縁部に密封部材を備えることを特徴とする請求項２に記載の空気浄化装置。
【請求項１０】
前記空気浄化ユニットは、軸心位置において軸心方向に貫通する貫通穴を備え、
前記貫通穴には、紐部材が、前記紐部材の一端側が複数の前記空気浄化ユニットの一端部に固定されるとともに、他端側が複数の前記空気浄化ユニットの他端部側に引き出される形態で、挿通されていることを特徴とする請求項３に記載の空気浄化装置。
【請求項１１】
前記平板状部材は、当該平板状部材の表裏を連通するハニカム形状の複数の連通路を有することを特徴とする請求項２又は３に記載の空気浄化装置。
【請求項１２】
前記平板状部材が有する連通路の一本あたりの通流面積は、前記空気浄化ユニットが有する通流路の一本あたりの通流面積より広いことを特徴とする請求項１１に記載の空気浄化装置。
【請求項１３】
前記空気浄化ユニットの空気流入面及び空気流出面のうち、少なくとも前記空気流出面には軸心方向に沿って空気が通流するように構成された平板状部材が配設されていることを特徴とする請求項１又は３に記載の空気浄化装置。
【請求項１４】
複数の前記空気浄化ユニットを、軸心方向に沿って空気が通流するように構成された平板状部材を介して、前記空気浄化ユニットの軸心方向に積層してあることを特徴とする請求項１又は２に記載の空気浄化装置。
【発明の詳細な説明】
【技術分野】
【０００１】
本発明は、空気が通流するダクトの内部に配置される空気浄化装置に関する。
【背景技術】
【０００２】
バスターミナルのように排気ガスが充満しやすい環境においては、送風機を用いてダクトを介して系外の空気を強制的に送り込み、対象区域における汚染物質の濃度を減らすことが行われている。送り込む空気は、汚染物質を含んでいないか、汚染物質を含んでいたとしてもその濃度が低いことが求められる。
【０００３】
空気から汚染物質を除去するための空気浄化装置として、特許文献１には、空気に含まれる汚染物質を除去できる触媒繊維をシート状にした触媒繊維シート材を本体ケーシングの内部に積層した空気浄化装置が開示されている。
【先行技術文献】
【特許文献】
【０００４】
【特許文献１】特開２００８−２２１１４５号公報
【発明の概要】
【発明が解決しようとする課題】
【０００５】
この空気浄化装置は、大勢の人が集まる施設等を浄化対象区域として、その周囲に、例えば、道路と歩道の境界部にそって複数列かつ複数段積層して区画することにより、自然風によって浄化対象区域に流入する空気に含まれる汚染物質を除去するものである。
【０００６】
したがって、設置スペースの確保や、要求される除去性能に応じた本体ケーシング及び触媒繊維シート材の個別設計、製作が必要となる。
【０００７】
また、バスターミナル等に、空気浄化装置を新たな構造物として追加する設置スペースが十分に確保できない浄化対象区域においてはそもそも空気浄化装置の設置自体が困難であった。
【０００８】
また、従来の空気浄化装置は、自然風によって空気を通流させるものであるが、送風機を用いて空気を通流させるダクトの内部に空気浄化装置を設置する場合には、送風機の性能に応じた圧力損失を考慮する必要がある。圧力損失の程度によっては、送風機の能力が不足し、空気浄化装置の設置により空気の通流状態に悪影響を及ぼす虞があるからである。
【０００９】
本発明は上記実情に鑑みてなされたものであって、ダクトの内部に配置することができる空気浄化装置を提供することを目的とする。
【課題を解決するための手段】
【００１０】
上述の目的を達成するための、本発明に係る空気浄化装置の特徴構成は、空気中に含まれる汚染物質を除去できる触媒繊維シート材の片面に波板状の波板シート材を配設した状態で渦巻状に巻回された形状であり、且つ、径方向に交互に積層された前記触媒繊維シート材と前記波板シート材との間に軸心方向に沿って空気の通流路を有する構造の空気浄化ユニットを備え、空気の通流する筒状のダクトの内部に配置され、
前記波板シート材は、アルミニウムから構成される点にある。 
【００１１】
上述の構成によると、空気浄化ユニットを構成する触媒繊維シート材の片面に波板状の波板シート材を配設したシート状部材（以下、多孔吸着部材という場合がある）の巻き数を調整するだけで、径方向の大きさ（空気浄化ユニットの直径）を調整することができる。これにより、空気浄化装置の空気浄化ユニットを、細いダクトから太いダクトまで、そのサイズに応じて作成し、既存のダクトの内部に簡便に配置することができる。
【００１２】
空気浄化ユニットは、その軸心方向に沿って触媒繊維シート材と波板シート材との間に空気の通流路を複数有し、空気は通流路を通流する際に触媒繊維シート材と接触することにより汚染物質が除去され浄化される。この通流路は軸心方向に積層配置する空気浄化ユニットの個数を増減するだけで容易に長さと吸着容量とを変更することができる。したがって、空気中の汚染物質の除去性能及び圧力損失を設置箇所であるダクトの状況に応じて容易に調整することができる。例えば、空気浄化装置による圧力損失を、ダクトに配設された既存の送風機の能力の範囲内となるように設定して、ダクト内の空気の通流状態を良好に保つように構成したり、また、例えば、空気浄化装置による汚染物質の除去性能を、設置箇所であるダクトの空気の汚染度合いに応じて設定して、ダクトから吐出される空気の清浄度を良好に保つように構成することができる。
アルミニウムは軽量で安価であり成形性及び耐食性に優れているため波板シート材を軽量かつ安価に得ることができ、したがって、空気浄化ユニットを軽量かつ安価に得ることができる。また、空気の通流路を確実に形成しながら、空気浄化ユニット自体の強度（軸心方向及び径方向の強度）を確保することができる。
上述の目的を達成するための、本発明に係る空気浄化装置の特徴構成は、空気中に含まれる汚染物質を除去できる触媒繊維シート材の片面に波板状の波板シート材を配設した状態で渦巻状に巻回された形状であり、且つ、径方向に交互に積層された前記触媒繊維シート材と前記波板シート材との間に軸心方向に沿って空気の通流路を有する構造の空気浄化ユニットを備え、空気の通流する筒状のダクトの内部に配置され、
前記空気浄化ユニットの空気流入面及び空気流出面のうち、少なくとも前記空気流出面には軸心方向に沿って空気が通流するように構成された平板状部材が配設されている点にある。
上述の構成によると、空気浄化ユニットを構成する触媒繊維シート材の片面に波板状の波板シート材を配設したシート状部材（以下、多孔吸着部材という場合がある）の巻き数を調整するだけで、径方向の大きさ（空気浄化ユニットの直径）を調整することができる。これにより、空気浄化装置の空気浄化ユニットを、細いダクトから太いダクトまで、そのサイズに応じて作成し、既存のダクトの内部に簡便に配置することができる。
空気浄化ユニットは、その軸心方向に沿って触媒繊維シート材と波板シート材との間に空気の通流路を複数有し、空気は通流路を通流する際に触媒繊維シート材と接触することにより汚染物質が除去され浄化される。この通流路は軸心方向に積層配置する空気浄化ユニットの個数を増減するだけで容易に長さと吸着容量とを変更することができる。したがって、空気中の汚染物質の除去性能及び圧力損失を設置箇所であるダクトの状況に応じて容易に調整することができる。例えば、空気浄化装置による圧力損失を、ダクトに配設された既存の送風機の能力の範囲内となるように設定して、ダクト内の空気の通流状態を良好に保つように構成したり、また、例えば、空気浄化装置による汚染物質の除去性能を、設置箇所であるダクトの空気の汚染度合いに応じて設定して、ダクトから吐出される空気の清浄度を良好に保つように構成することができる。
少なくとも空気浄化ユニットの空気流出面に配設されている平板状部材を、例えばダクトの内部に配設されたサポートに設置するという簡単な作業により、空気浄化装置をダクトの内部に安定して設置することができる。なお、空気浄化ユニットの空気流入面及び空気流出面は、当該空気浄化ユニットにおける軸心方向の一端部又は他端部に位置する面である。
上述の目的を達成するための、本発明に係る空気浄化装置の特徴構成は、空気中に含まれる汚染物質を除去できる触媒繊維シート材の片面に波板状の波板シート材を配設した状態で渦巻状に巻回された形状であり、且つ、径方向に交互に積層された前記触媒繊維シート材と前記波板シート材との間に軸心方向に沿って空気の通流路を有する構造の空気浄化ユニットを備え、空気の通流する筒状のダクトの内部に配置され、
複数の前記空気浄化ユニットを、軸心方向に沿って空気が通流するように構成された平板状部材を介して、前記空気浄化ユニットの軸心方向に積層してある点にある。
上述の構成によると、空気浄化ユニットを構成する触媒繊維シート材の片面に波板状の波板シート材を配設したシート状部材（以下、多孔吸着部材という場合がある）の巻き数を調整するだけで、径方向の大きさ（空気浄化ユニットの直径）を調整することができる。これにより、空気浄化装置の空気浄化ユニットを、細いダクトから太いダクトまで、そのサイズに応じて作成し、既存のダクトの内部に簡便に配置することができる。
空気浄化ユニットは、その軸心方向に沿って触媒繊維シート材と波板シート材との間に空気の通流路を複数有し、空気は通流路を通流する際に触媒繊維シート材と接触することにより汚染物質が除去され浄化される。この通流路は軸心方向に積層配置する空気浄化ユニットの個数を増減するだけで容易に長さと吸着容量とを変更することができる。したがって、空気中の汚染物質の除去性能及び圧力損失を設置箇所であるダクトの状況に応じて容易に調整することができる。例えば、空気浄化装置による圧力損失を、ダクトに配設された既存の送風機の能力の範囲内となるように設定して、ダクト内の空気の通流状態を良好に保つように構成したり、また、例えば、空気浄化装置による汚染物質の除去性能を、設置箇所であるダクトの空気の汚染度合いに応じて設定して、ダクトから吐出される空気の清浄度を良好に保つように構成することができる。
積層する空気浄化ユニットの個数を増減するだけで、空気中の汚染物質の除去性能及び圧力損失を設置箇所であるダクトの状況に応じて容易に調整することができる。
【００１３】
本発明においては、前記触媒繊維シート材は、フェルト状の活性炭素繊維から構成されると好適である。
【００１４】
触媒繊維シート材に活性炭繊維を用いることにより、窒素酸化物（ＮＯｘ）、硫黄酸化物（ＳＯｘ）及び揮発性有機化合物（ＶＯＣ）等の汚染物質を効果的に除去することができる。また、活性炭繊維がフェルト状であるため単位重さあたりの表面積が粒状の活性炭に比べて大きく、したがって吸着容量が大きい。
【００１５】
本発明においては、前記活性炭素繊維は、ピッチ系又はＰＡＮ系の炭素繊維から構成されると好適である。
【００１６】
活性炭素繊維が、ピッチ系又はＰＡＮ系（ポリアクリロニトリル系）の炭素繊維であるため弾性や強度に優れる。
【００１７】
本発明においては、前記波板シート材は、波高が３〜１０ｍｍの範囲であると好適である。
【００１８】
発明者らは、鋭意研究の結果、汚染物質の除去性能と圧力損失の観点から、空気浄化ユニットを構成する波板シート材の波高は３〜１０ｍｍの範囲、特に５〜７ｍｍの範囲であることが好ましいという知見を得た。
【００１９】
本発明においては、前記波板シート材は、アルミニウムから構成されると好適である。
【００２０】
アルミニウムは軽量で安価であり成形性及び耐食性に優れているため波板シート材を軽量かつ安価に得ることができ、したがって、空気浄化ユニットを軽量かつ安価に得ることができる。また、空気の通流路を確実に形成しながら、空気浄化ユニット自体の強度（軸心方向及び径方向の強度）を確保することができる。
【００２１】
本発明においては、前記触媒繊維シート材が、前記空気浄化ユニットの外周面に位置すると好適である。
【００２２】
空気浄化ユニットの径方向外側から触媒繊維シート材を介して通流路に流入する、又は流出する空気からも汚染物質を除去することができる。また、空気浄化ユニットは外周面が滑らかな円柱形となるため波板シート材が外周面に位置する場合に比べてダクトの内部での収まりがよい。
【００２５】
本発明においては、少なくとも前記空気浄化ユニットの空気流出面に配設されている前記平板状部材は外周縁部に密封部材を備えると好適である。
【００２６】
少なくとも空気浄化ユニットの空気流出面に配設されている平板状部材の外周縁部に備えられた密封部材を、例えばダクトの内部に配設されたサポート部材と密着させることにより、空気浄化ユニットを通流していない空気がそのままサポート部材の下流側へ通流されてしまうことが防止できる。
【００２９】
本発明においては、前記空気浄化ユニットは、軸心位置において軸心方向に貫通する貫通穴を備え、前記貫通穴には、紐部材が、前記紐部材の一端側が複数の前記空気浄化ユニットの一端部に固定されるとともに、他端側が複数の前記空気浄化ユニットの他端部側に引き出される形態で、挿通されていると好適である。
【００３０】
紐部材によって複数の空気浄化ユニットは連ねられ複数の空気浄化ユニット全体を一体的に取り扱うことができ、また、複数の空気浄化ユニット全体として曲げることができるため複数の空気浄化ユニットをダクトの内部に設置する際や取外す際の作業性がよい。さらに、ダクトの内部に設置したあとに各軸心がずれる虞もない。また、複数の空気浄化ユニットを上下方向に積層する場合に限らず、左右方向に積層するような場合であっても各空気浄化ユニットが散乱してしまうようなこともない。
【００３１】
本発明においては、前記平板状部材は、当該平板状部材の表裏を連通するハニカム形状の複数の連通路を有すると好適である。
【００３２】
連通路をハニカム形状とすることにより、平板状部材の厚みに対する強度を損なうことなく平板状部材中の連通路の通流総面積を増やすことができる。
【００３３】
本発明においては、前記平板状部材が有する連通路の一本あたりの通流面積は、前記空気浄化ユニットが有する通流路の一本あたりの通流面積より広いと好適である。
【００３４】
連通路には複数の通流路からの空気が流入して合流し、そこから複数の通流路へと分岐して流出することになるので、所定の通流路のみに空気の流れが偏ることを防止することができる。
本発明においては、前記空気浄化ユニットの空気流入面及び空気流出面のうち、少なくとも前記空気流出面には軸心方向に沿って空気が通流するように構成された平板状部材が配設されていると好適である。
少なくとも空気浄化ユニットの空気流出面に配設されている平板状部材を、例えばダクトの内部に配設されたサポートに設置するという簡単な作業により、空気浄化装置をダクトの内部に安定して設置することができる。なお、空気浄化ユニットの空気流入面及び空気流出面は、当該空気浄化ユニットにおける軸心方向の一端部又は他端部に位置する面である。
本発明においては、複数の前記空気浄化ユニットを、軸心方向に沿って空気が通流するように構成された平板状部材を介して、前記空気浄化ユニットの軸心方向に積層してあると好適である。
積層する空気浄化ユニットの個数を増減するだけで、空気中の汚染物質の除去性能及び圧力損失を設置箇所であるダクトの状況に応じて容易に調整することができる。
【図面の簡単な説明】
【００３５】
【図１】バスターミナルの概略図
【図２】空気浄化装置の説明図
【図３】空気浄化ユニットの説明図
【図４】空気浄化ユニットを構成する多孔吸着部材の説明図
【図５】平板状部材の説明図
【図６】平板状部材の説明図
【図７】時間経過と除去性能の説明図
【図８】波高の違いによる圧力損失の説明図
【図９】流速と圧力損失の説明図
【発明を実施するための形態】
【００３６】
以下、本発明に係る空気浄化装置の実施形態を図面に基づいて説明する。
【００３７】
図１には、屋内型のバスターミナル１が示されている。
バスターミナル１は、バス２が走行する複数の車道、車道に設置されている複数の停留場とを備えている。各停留場には、旅客用のベンチや、時刻表、路線図等を掲示する掲示板等が設置されている。
【００３８】
当該バスターミナル１において、停留場の付近の空気は、バス２の排気ガスに含まれる窒素酸化物（ＮＯｘ）、硫黄酸化物（ＳＯｘ）及び揮発性有機化合物（ＶＯＣ）等の汚染物質により汚染されがちである。
【００３９】
そこで、バスターミナル１には、各停留場ごとに、又は複数の停留場ごとに、停留場に対して当該バスターミナル１の建屋外から新鮮な空気を供給するための空気供給装置１０が設置されている。
【００４０】
空気供給装置１０は、バスターミナル１の屋外に設置された吸込ダクト（図示せず）と、吸込ダクトから空気を吸い込む送風機１１と、送風機１１が吸い込んだ空気を停留場にまで導くための吐出ダクト１２とを備えている。
【００４１】
本実施形態においては、吐出ダクト１２は停留場の付近に鉛直方向に立設するように、その下端部が支持部材１３によって固定されている。吐出ダクト１２の最下流端側面には、水平方向を向いた吐出口１４が備えられている。
【００４２】
そして、吐出ダクト１２の内部であって、吐出口１４の上流側部分には、本発明に係る空気浄化装置２０が配設されている。つまり、本実施形態では、既設の吐出ダクト１２の内部に空気浄化装置２０が配設されている。なお、空気浄化装置２０を、吸込ダクトに配設する構成としても良い。
【００４３】
図２に示すように、空気浄化装置２０は、複数の空気浄化ユニット２１と、隣接する空気浄化ユニット２１間に配設される複数の平板状部材２２とを備えている。
【００４４】
図２から図４に示すように、空気浄化ユニット２１は、送風機１１によって送風される空気に含まれる汚染物質の除去ができる触媒繊維をシート状に形成してなる触媒繊維シート材２３の片面に波板状の波板シート材２４を配設したシート状部材（以下、多孔吸着部材２５という場合がある）を、触媒繊維シート材２３が外周面に位置するように、波板シート材２４の波と垂直な方向に渦巻状に巻くことによって形成されている。径方向に交互に積層された触媒繊維シート材２３と波板シート材２４との間に、軸心方向に沿って空気の通流路２６が構成される。
つまり、空気中に含まれる汚染物質を除去できる触媒繊維シート材２３の片面に波板状の波板シート材２４を配設した状態で渦巻状に巻回された形状であり、且つ、径方向に交互に積層された触媒繊維シート材２３と波板シート材２４との間に軸心方向に沿って空気の通流路２６を有する構造の空気浄化ユニット２１を備え、空気の通流する筒状のダクトの内部に配置されている。
【００４５】
触媒繊維シート材２３は、フェルト状の活性炭素繊維により形成されている。なお、活性炭素繊維は、ピッチ系又はＰＡＮ系の炭素繊維である。
波板シート材２４は、アルミニウム製の平板を、波高ｔが７ｍｍとなるように波型に成形することにより形成されている。なお、波高ｔは７ｍｍに限らないが、３〜１０ｍｍの範囲、好ましくは５〜１０ｍｍの範囲、特に好ましくは５〜７ｍｍの範囲に設定される。波高ｔが、３ｍｍよりも小さければ空気の通流路２６における圧力損失が大きくなってしまう虞があり、また、１０ｍｍよりも大きければ汚染物質の除去性能が向上しないにも拘らず径方向の大きさが大きくなってしまう虞があり、好ましいとはいえない状態となる。
【００４６】
触媒繊維シート材２３の片面に波板状の波板シート材２４を配設した状態で渦巻状に巻回されると、多孔吸着部材２５の軸心位置には、軸心方向に貫通する円筒状の空間が形成される。多孔吸着部材２５の軸心位置に形成された円筒状の空間には、当該多孔吸着部材２５の軸心方向に貫通するように管部材２７が配設されている。管部材２７は、軸心に沿って貫通穴を備えている。
多孔吸着部材２５の外径は、既設の吐出ダクト１２の内径に応じて、当該内径よりも若干小径となるように形成されている。つまり、触媒繊維シート材２３の片面に波板状の波板シート材２４を配設した状態で渦巻状に巻回する巻き数を調整して、円筒状に形成された多孔吸着部材２５の外径を調整する。
なお、本実施形態では、波板シート材２４の外周側に触媒繊維シート材２３が位置する状態で渦巻き状に巻回されているため、多孔吸着部材２５の外周面には、触媒繊維シート材２３が位置するように構成されている。なお、必要に応じて、多孔質吸着部材２５の外周面をシート材で覆って、当該シート材を熱融着して固定することもできる。
【００４７】
図５に示すように、平板状部材２２は、多孔吸着部材２５の外径と略同径の円板状に形成され、平板状部材２２の表裏を連通するハニカム形状の複数の連通路が複数備えられ、空気浄化ユニット２１を構成する多孔吸着部材２５の軸心方向に沿って通気性を有している。
【００４８】
平板状部材２２が有する連通路の一本あたりの通流面積は、空気浄化ユニット２１が有する通流路２６の一本当たりの通流面積より広い。
【００４９】
本実施形態においては、空気浄化装置２０は、四つの空気浄化ユニット２１ａ，２１ｂ，２１ｃ，２１ｄと、五つの平板状部材２２ａ，２２ｂ，２２ｃ，２２ｄ，２２ｅとから構成されている。
【００５０】
平板状部材２２ｂ，２２ｃ，２２ｄは、空気浄化ユニット２１ａ，２１ｂ，２１ｃ，２１ｄの間に介設され、平板状部材２２ａは最上流側に積層された空気浄化ユニット２１の空気流入側の面に配設され、平板状部材２２ｅは、最下流側に積層された空気浄化ユニット２１の空気流出側の面に配設される。
【００５１】
五つの平板状部材２２ａ，２２ｂ，２２ｃ，２２ｄ，２２ｅのうち、少なくとも最下流側に積層された空気浄化ユニット２１の空気流出側の面に配設されている平板状部材２２ｅは、図６に示すように、外周縁部に密封部材としてのガスケット２８を備えている。
最下流側に位置する平板状部材２２ｅは、他の平板状部材２２ａ，２２ｂ，２２ｃ，２２ｄの外径よりも若干大径に形成され、吐出ダクト１２の内周面から内径側に突出形成されたサポート部材１５に載置支持される。従って、吐出ダクト１２の内部を通流する空気は、ガスケット２８及びサポート部材１５により、強制的に空気浄化ユニット２１及び平板部材２２ｅを通流することとなり、空気浄化ユニット２１を通流していない空気がそのままサポート部材の下流側へ通流されてしまうことが防止できる。なお、サポート部材１５は、取り外しできる構成を採用することが好ましい。
【００５２】
平板状部材２２ａの中央には、紐部材２９の一端が固定されている。
紐部材２９は、積層された複数の空気浄化ユニット２１ａ，２１ｂ，２１ｃ，２１ｄがそれぞれ備える貫通穴、すなわち管部材２７ａ，２７ｂ，２７ｃ，２７ｄの軸心に沿って形成された貫通穴、平板状部材２２ｂ，２２ｃ，２２ｄ，２２ｅのハニカム形状の連通路のうち、前記貫通穴に対応する位置にある連通路に挿通され、他端側に引き出されている。
つまり、紐部材２９が、紐部材２９の一端側が複数の空気浄化ユニット２１の一端部（空気浄化ユニット２１ａの上流側の平板状部材２２ａ）に固定されるとともに、他端側が複数の空気浄化ユニット２１の他端部側（空気浄化ユニット２１ｄの下流側の平板状部材２２ｅ側）に引き出される形態で、挿通されている。
【００５３】
上述のようにして、既存のバスターミナル１に設置するにあたり、専用の設置スペースの確保が不要であり、要求される除去性能に応じた吸着容量の変更が容易にできる空気浄化ユニット２１及び空気浄化装置２０が構成される。
【００５４】
本発明に係る空気浄化装置２０の性能を確認するために、条件が異なる空気浄化装置を複数作成し、以下のような実験を行った。
【００５５】
［実施例１］
実施例１に係る空気浄化装置は以下の構成である。
触媒繊維シート材２３として、ポリアクリロニトリル耐炎化糸を原料とするＢＥＴ比表面積８８０ｍ2／ｇの活性炭素繊維を、厚み５ｍｍ、目付１００ｇ／ｍ2のフェルト状に加工したものを用い、波板シート材２４として、厚みが８０ミクロンのアルミニウム板を波高ｔが７ｍｍ、波のピッチが１２ｍｍに成形したものを用いた。触媒繊維シート材２３の片面に波板シート材２４を配設した状態で、これを渦巻状に巻いて多孔吸着部材２５を作成し、直径が１００ｍｍ、高さが２００ｍｍの円筒形状の空気浄化ユニット２１を得た。
この空気浄化ユニット２１を三つ用意し積層して空気の通流路に沿った長さが約６００ｍｍの空気浄化装置２０を構成した。
なお、平板状部材２２として、セルサイズが１／２インチ、厚みが２０ｍｍ、直径が１００ｍｍであるハニカムコアボードを用いた。
【００５６】
当該空気浄化装置２０を、内径が１００ｍｍであるダクトの内部に設置し、当該空気浄化装置２０の上流側からＮＯ2を０．３ｐｐｍ含む空気を、流速が２．４ｍ／ｓｅｃで流通し、当該空気浄化装置２０の下流側においてのＮＯ2の濃度を連続して測定した。
このとき、空間速度ＳＶ＝１０，０００／ｈｒとなる。なお、空間速度ＳＶ＝（空気風量ｍ3／通流時間ｈ）／（空気浄化ユニット２１の体積ｍ3）により求められる。
【００５７】
ＮＯ2を含む空気の通流を開始してから３６時間経過後のＮＯ2の除去率は７０％であった。このときのダクトの内部の圧力損失は２００Ｐａであった。
【００５８】
［実施例２］
実施例２に係る空気浄化装置２０は以下の構成である。
実施例１と同じ空気浄化ユニット２１を六つ用意し、これを積層して空気の通流路に沿った長さが約１２００ｍｍの空気浄化装置を構成した。
【００５９】
実施例１と同じく、当該空気浄化装置を、内径が１００ｍｍであるダクトの内部に設置し、当該空気浄化装置２０の上流側からＮＯ2を０．３ｐｐｍ含む空気を、流速が２．４ｍ／ｓｅｃで流通し、当該空気浄化装置の下流側においてのＮＯ2の濃度を連続して測定した。
このとき、空間速度ＳＶ＝５，０００／ｈｒとなる。
ＮＯ2を含む空気の通流を開始してから６０時間経過後のＮＯ2の除去率は１００％であった。このときのダクトの内部の圧力損失は４００Ｐａであった。
【００６０】
［実施例３］
実施例３に係る空気浄化装置２０は以下の構成である。
実施例１と同様の多孔吸着部材２５を、渦巻状に巻き、直径が１００ｍｍ、高さが２００ｍｍの空気浄化ユニット２１を得た。これを一つ用いて空気浄化装置を構成した。
【００６１】
実施例１と同じく、当該空気浄化装置を、内径が１００ｍｍであるダクトの内部に設置し、空気浄化装置の上流側からＮＯ2を０．３ｐｐｍ含む空気を、流速が２．４ｍ／ｓｅｃで流通し、空気浄化装置の下流側においてのＮＯ2の濃度を連続して測定した。
このとき、空間速度ＳＶ＝３０，０００／ｈｒとなる。
ＮＯ2を含む空気の通流を開始してから３６時間経過後のＮＯ2の除去率は３０％であった。このときのダクトの内部の圧力損失は約６６．７Ｐａであった。
【００６２】
図７に示すように、実施例１から３までを対比したところ、実施例３は、時間の経過とともに、ＮＯ2の除去率が低下してしまっていることがわかる。実施例２は、時間の経過とともに、ＮＯ2の除去率の低下が見られない点において有効ではあるが、圧力損失が４００Ｐａと高いため、バスターミナル１に既設の送風機１１の能力が不足するようであれば、新たな送風機を導入する必要が生じる可能性が高い。実施例１は、時間の経過とともにＮＯ2の除去率に若干の低下が見られるものの、実施例２ほど圧力損失が生じないため、新たな送風機１１の導入が不要である可能性が高い点において有効である。
【００６３】
なお、実施例１において、波板シート材２４の波高ｔのみが５ｍｍ，７ｍｍと、異なる空気浄化ユニット２１からなる空気浄化装置２０に対して、流速を１ｍ／ｓｅｃ，２ｍ／ｓｅｃ、３ｍ／ｓｅｃ、４ｍ／ｓｅｃ、５ｍ／ｓｅｃと変化させたときの圧力損失を計測した。
【００６４】
その結果、図８に示すように、空気浄化装置２０を構成する波板シート材２４の波高ｔが大きいほど流速に対する圧力損失が低いことがわかった。
【００６５】
また、従来の空気浄化装置に対して、流速を１ｍ／ｓｅｃ，２ｍ／ｓｅｃ、３ｍ／ｓｅｃ、４ｍ／ｓｅｃ、５ｍ／ｓｅｃと変化させたときの圧力損失も計測した。
なお、従来の空気浄化装置として以下の空気浄化装置を用意した。
上述の実施例１と同様の触媒繊維シート材を、波高ｔが１００ｍｍ、波のピッチが６ｍｍのプリーツ状に成形したものを、正方形間口が１００ｍｍ×１００ｍｍで、奥行きが１００ｍｍの枠体に収容して、空気通流型のエアフィルタを得た。
このエアフィルタを六つ用意し、これを積層して空気の通流路に沿った長さが約６００ｍｍの空気浄化装置を構成した。なお、このエアフィルタは、当該エアフィルタの厚み方向に空気が貫通する状態で通流する構成である。
【００６６】
当該空気浄化装置を、内径が１００ｍｍであるダクトの内部に、接続部において漏洩がないように接続し、空気浄化装置の上流側からＮＯ2を０．３ｐｐｍ含む空気を、流速が２．４ｍ／ｓｅｃで流通し、当該空気浄化装置の下流側においてのＮＯ2の濃度を連続して測定したところ、ＮＯ2を含む空気の通流を開始してから３６時間経過後のＮＯ2の除去率は７０％であるという結果が得られた。また、このときのダクトの内部の圧力損失は７００Ｐａであった。
【００６７】
本発明に係る空気浄化装置として、波板シート材２４の波高ｔが７ｍｍである空気浄化ユニットからなる空気浄化装置と、前記従来の空気浄化装置とを比較したところ、図９に示すように、本発明に係る空気浄化装置のほうが、前記従来の空気浄化装置より、流速に対する圧力損失が低いことがわかった。
【００６８】
なお、上記実施形態（別実施形態を含む、以下同じ）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００６９】
本発明に係る空気浄化装置は、既存のダクトの内部に簡易に設置することができ、既存の設備の改造が不要であり、設置スペースも不要である。バスターミナルなど新たな設備の設置スペースが限られる場所における空気浄化に役立てることができる。また、工場等に備えられている排気ダクトの内部に設置することにより、設備の改造を伴わず、ＮＯｘ等の有害物質を低減できる。
【００７０】
さらに、従来のエアフィルタに比べ、長い流路構造を持ち除去効率が高く、かつ圧力損失が低いので、動力の追加の必要もない。空気浄化に用いる活性炭素繊維は、水洗いで性能を回復するが、これも、既存のダクトの内部において行うことにより、洗浄のための取り出し作業や、洗浄のための新たなスペースの確保が不要となる。水洗い後の活性炭素繊維の乾燥も、通流する空気、排気ガスにより行える。
【符号の説明】
【００７１】
２０      ：空気浄化装置
２１      ：空気浄化ユニット
２２      ：平板状部材
２３      ：触媒繊維シート材
２４      ：波板シート材
２５      ：多孔吸着部材
２６      ：通流路
２８      ：ガスケット（密封部材）
２９      ：紐部材
ｔ        ：波高
【図１】
0006639995.tif 000002
【図２】
0006639995.tif 000003
【図３】
0006639995.tif 000004
【図４】
0006639995.tif 000005
【図５】
0006639995.tif 000006
【図６】
0006639995.tif 000007
【図７】
0006639995.tif 000008
【図８】
0006639995.tif 000009
【図９】
0006639995.tif 000010